(57)【特許請求の範囲】
【請求項１】
先端に係止部を有する垂直なロッドを引戸に対し上下動可能に設けること；ロッドの係止部は戸枠の横部材に対し選択的に係脱されるものであること；引戸に固定される錠箱内にマイクロモータを備えること；マイクロモータの出力軸に減速機を介して太陽歯車、遊星歯車及びスイングアームから成る差動歯車装置を接続させること；錠箱内において、前記スイングアームを挟む位置に対向させて上下に摺動可能な第１ラック及び第２ラックを設けること；第１ラックには第１ピニオンを、第２ラックには第２ピニオンをそれぞれ噛み合わせること；差動歯車装置の遊星歯車はスイングアームの揺動により中立位置、第１ピニオンとの噛み合い位置又は第２ピニオンとの噛み合い位置を選択的に占めることができるようにしてあること；第１ピニオン及び第２ピニオンには施錠作動の完了時遊星歯車との噛み合いを解くための第１切離し手段及び解錠作動の完了時遊星歯車との噛み合いを解くための第２切離し手段がそれぞれ設けてあること；第１ラック及び第２ラックには錠箱に枢支されて両ラックを互に上下逆方向に変位させる中間伝動歯車が噛み合わせてあること；セクターギア部及びカム部を有する回動部材を錠箱に枢支すると共に、セクターギア部は第１ラックに噛み合わせること；前記のカム部に当接し、そのカム部の回動により解錠位置と施錠位置との間を摺動できるようにした第１作動部材及び第２作動部材を設けること；第１作動部材と第２作動部材との間には連結手段及び逃がしばねを介在させること；第２作動部材に上記ロッドの基端を取り付けること；錠箱に枢着され施錠時第２作動部材を選択的に係止する係止レバー及び第１作動部材に枢着されカム部の回動により第２作動部材に対する係止レバーの係脱を制御する制御レバーを備えること；及び、中間伝動歯車又は回動部材に引戸に設けられたシリンダ錠のテイルピース及び／又はサムターンを連係させてあることを構成条件とする引戸用電気錠。
【発明の詳細な説明】
【０００１】
【発明の属する技術分野】
この発明は、先端に係止部を有する垂直なロッドで引戸を錠止するようにした新規な引戸用電気錠に関する。
【０００２】
【従来の技術】
引戸に対し上下動可能に設けた錠止用ロッドをマイクロモーター等で作動するようにした引戸用電気錠はほとんど実用化されていないのが実情である。
【０００３】
【発明が解決しようとする課題】
この発明の引戸用電気錠は、錠止用の鎌をもたず、錠止用のロッドのみで引戸を電気的に施解錠できるようにしたものであって、その目的とするところは、一つには施錠作動時にロッド先端の係止部と戸枠の横部材上の受け孔との間にずれを錠して錠止用の上下動が不能になっても、錠箱内のマイクロモータが焼き付いて破損することがないようにすることである。
【０００４】
また、他の目的は、シリンダ錠又はサムターンを通じて手動で施解錠作動をしようとした場合、大きな負荷が掛らずに軽く操作できるようにしたことである。
【０００５】
【課題を解決するための手段】
上記の目的を解決するため、この発明の引戸用電気錠は、先端に係止部を有する垂直なロッドを引戸に対し上下動可能に設けること；ロッドの係止部は戸枠の横部材に対し選択的に係脱されるものであること；引戸に固定される錠箱内にマイクロモータを備えること；マイクロモータの出力軸に減速機を介して太陽歯車、遊星歯車及びスイングアームから成る差動歯車装置を接続させること；錠箱内において、前記スイングアームを挟む位置に対向させて上下に摺動可能な第１ラック及び第２ラックを設けること；第１ラックには第１ピニオンを、第２ラックには第２ピニオンをそれぞれ噛み合わせること；差動歯車装置の遊星歯車はスイングアームの揺動により中立位置、第１ピニオンとの噛み合い位置又は第２ピニオンとの噛み合い位置を選択的に占めることができるようにしてあること；第１ピニオン及び第２ピニオンには施錠作動の完了時遊星歯車との噛み合いを解くための第１切離し手段及び解錠作動の完了時遊星歯車との噛み合いを解くための第２切離し手段がそれぞれ設けてあること；第１ラック及び第２ラックには錠箱に枢支されて両ラックを互に上下逆方向に変位させる中間伝動歯車が噛み合わせてあること；セクターギア部及びカム部を有する回動部材を錠箱に枢支すると共に、セクターギア部は第１ラックに噛み合わせること；前記のカム部に当接し、そのカム部の回動により解錠位置と施錠位置との間を摺動できるようにした第１作動部材及び第２作動部材を設けること；第１作動部材と第２作動部材との間には連結手段及び逃がしばねを介在させること；第２作動部材に上記ロッドの基端を取り付けること；錠箱に枢着され施錠時第２作動部材を選択的に係止する係止レバー及び第１作動部材に枢着されカム部の回動により第２作動部材に対する係止レバーの係脱を制御する制御レバーを備えること；及び、中間伝動歯車又は回動部材に引戸に設けられたシリンダ錠のテイルピース及び／又はサムターンを連係させてあることを特徴とする。
【０００６】
【発明の実施の形態】
以下、図面に示す実施例に基づいてこの発明について説明する。
図１〜図３において、符号１０は引戸、２０は戸枠、３０は戸枠２０の上框その他の横部材をそれぞれ示す。
【０００７】
前記の引戸１０内には、先端に係止部１１を有する垂直なロッド１を上下動可能に設けてあり、ロッド１の係止部１１は戸枠２０の横部材３０に対し選択的に係脱され、引戸１０を施錠状態（図３参照）又は解錠状態（図１及び図２参照）とすることができる。
【０００８】
引戸１０内にねじ９１等で固設される錠箱２内には、正逆の回転駆動が可能なマイクロモータ３を備え、マイクロモータ３の出力軸は例えば、小かさ歯車４１及び大かさ歯車４２等で成る減速機４を介して太陽歯車５１、遊星歯車５２及びスイングアーム５３から成る差動歯車装置５に接続させてある。
【０００９】
同軸で一体的に結合された大かさ歯車４２と太陽歯車５１の回転軸は錠箱２の側板に支承され、その回転軸にはスイングアーム５３の一端部が回動可能に取り付けてある。
【００１０】
また、スイングアーム５３の他端部に回動自在に支承された遊星歯車５２は太陽歯車５１と噛み合わせてある。
【００１１】
そして、錠箱２内において前記スイングアーム５３を挟む位置に対向させて上下に摺動可能な第１ラック及び第２ラックを設ける。第１ラック６１及び第２ラック６２にはそれぞれ適当な案内手段６３が設けられており、錠箱２の内面の一部も案内手段をなしている。
【００１２】
前記の第１ラック６１にはスイングアーム５３上の遊星歯車５２の受け歯車をなす第１ピニオン６４が、また、第２ラック６２には同様にスイングアーム５３上の遊星歯車５２の受け歯車をなす第２ピニオン６５がそれぞれ噛み合わせてある。両ピニオン６４、６５は共に錠箱２に回転可能に支承されている。
【００１３】
差動歯車装置５の遊星歯車５２は、大かさ歯車４２及び太陽歯車５１の共通回動軸線の回りに揺動するスイングアーム５３の位置により中立位置（図２の位置）、第１ピニオンとの噛み合い位置又は第２ピニオン６５との噛み合い位置を選択的に占めることができるようにしてある。
【００１４】
図２において、マイクロモータ３が上から見て反時計方向に回る時、小かさ歯車４１、大かさ歯車４２、太陽歯車５１及び遊星歯車５２は、それぞれ反時計方向に、時計方向、時計方向及び反時計方向に回動し、また、スイングアーム５３は時計方向に揺動して遊星歯車５２が第１ピニオン６４に噛み合うようにしてある。
【００１５】
マイクロモータ３を前記とは逆に回すと、スイングアーム５３は反時計方向に揺動して遊星歯車５２が第２ピニオン６５に噛み合うようにしてある。
【００１６】
更に、第１ピニオン６４及び第２ピニオン６５には施錠作動及び解錠作動の完了時遊星歯車５２との噛み合いを解くためにそれぞれ第１切り離し手段６６及び第２切り離し手段６７が設けてある。
【００１７】
実施例の第１切り離し手段６６は第１ピニオン６４の歯の１つを厚く形成したもので、施錠作動の完了時その厚くした歯がスイングアーム５３の一方（図２で右方）の側部を押動して、第１ピニオン６４と遊星歯車５２との噛み合いを切り離す。
【００１８】
図示例の第２切り離し手段６７も同様に第２ピニオン６５の歯の１つを厚く形成したもので、解錠作動の完了時、その厚くした歯がスイングアーム５３の他方（図２で左方）の側部を押動して、第２ピニオン６５と遊星歯車５２との噛み合いを切り離す。
【００１９】
上述のように、差動歯車装置５は第１及び第２切り離し手段６６、６７と共に一種のクラッチ機構として作用する。
【００２０】
更に、対向させた第１及び第２ラック６１、６２の間には、錠箱２に回転可能支承されて両ラック６１、６２を互に上下逆方向に変位させる中間伝動歯車６８が噛み合わせてある。符号６９は中間伝動歯車６８の回動角度範囲を規制するストッパである。
【００２１】
符号７１は錠箱２の側板に枢支された回動部材で、その回動部材７１にはセクターギア部７２及びカム部７３が一体的に設けてある。
【００２２】
セクターギア部７２は第１ラック６１に噛み合わせてあり、カム部７３は錠箱２内で解錠位置と施錠位置との間を上下に摺動できる第１作動部材７４及び第２作動部材７５に連係させてある。
【００２３】
なお、図示例の第１作動部材７４は板状をなし、第２作動部材７５は一方（下方）開口した箱状をなす。
【００２４】
前記の第１及び第２作動部材７４、７５には適当な案内手段７６が備えられており、錠箱２の内面の一部も案内手段をなしている。
【００２５】
第１作動部材７４と第２作動部材７５との間には圧縮ばね等の逃がしばね７７を介在させ、また、両部材７４、７５間は、水平なピン９６及びそのピン９６が嵌め込まれた垂直方向（上下方向）の長孔９７から成る垂直方向の変位が許容できる連結手段９５により、互に摺動可能に連結させてある。
【００２６】
更に、第２作動部材７５には一体の取付片７８を介して上述のロッド１の基端がねじ等で取り付けてある（図１参照）。なお、図２においてはロッド１は図示が省略してある。
【００２７】
上記の回動部材７１のカム部７３は、第１作動部材７４の下方の従動切欠き７９（図３参照）に当接係合させてあり、回動部材７１、すなわちカム部７３の回動により、第１作動部材７４及び第２作動部材７５をそれらの間に介在させた逃がしばね７７と共に、図２の解錠位置と図３の施錠位置との間を距離ｄだけ上下に摺動させることができる。カム部７３及び従動切欠き７９の関連構造は従来の水平摺動型のデッドボルトにも利用されている。
【００２８】
逃がしばね７７は、引戸１０の施錠作動時にロッド１の先端の係止部１１が戸枠２０の横部材３０上の受け孔４０との間にずれを生じて、ロッド１の上下動が不能になった際にのみ、それ自体が圧縮作用を呈して不動になった第２作動部材７５に対し第１作動部材７４を図２で上方へ空動きさせて逃がすようにしてある。
【００２９】
更に、この発明の電気錠には、錠箱２に枢着され施錠時第２作動部材７５を選択的に施錠位置に拘束係止する係止レバー８１、及び、第１作動部材７４に枢着されカム部７３の回動により第２作動部材７５に対する係止レバー８１の係脱を制御する制御レバー８２を備える。
【００３０】
係止レバー８１がその先端側が第２作動部材７５に近接する方向にねじりばねその他の任意形式のばね８３で付勢され、図３に示すように第２作動部材７５が施錠位置に至った時、係止レバー８１の先端はばね８３の付勢により第２作動部材７５に設けたあご部８０に係合する。
【００３１】
また、制御レバー８２はその一端（上端）が係止レバー８１から遠ざかる方向にねじりばねその他の任意形式のばね８４で付勢されている。
【００３２】
そして、回動部材７１のカム部７３は施錠位置（図３参照）から解錠位置（図２参照）に至る中間の位置で、制御レバー８２の他端にピン７３ａなどを介して当接するようにしてある。
【００３３】
その為、その中間位置において、制御レバー８２はばね８４に抗してその一端で係止レバー８１と第２作動部材７５との係合を解くことになるので、第２作動部材７５は、カム部７３と従動切欠き７９との間のカム作用が相俟って、逃がしばね７７で保持されつつ第１作動部材７４と共に解錠方向への変位が許容される。
【００３４】
更にまた、この発明においては、引戸１０に設けられたシリンダ錠のテイルピース及び／又はサムターン（いずれも図示しない）を上記した中間伝動歯車６８または回動部材７１に連係させる。
【００３５】
図中、符号９２は第１ラック６１の上下動においてスナップアクションを付与する開脚ばね、９３は施錠または解錠の完了時に作動するマイクロスイッチをそれぞれ示す。
【００３６】
【発明の作用・効果】
上記のようなこの発明の引戸用電気錠において、施錠中または解錠中、その作動歯車装置５のスイングアーム５３は中立位置にあるので、差動歯車装置５の遊星歯車５２は第１ピニオン６４及び第２ピニオン６５のいずれとも噛み合っていない。
【００３７】
この非噛み合い状態は、施錠作動または解錠作動の完了（終了）時に、第１ピニオン６４の第１切り離し手段６６または第２ピニオン６５の第２切り離し手段６７がスイングアーム５３を中立位置に向け押動することによって達成されるものである。
【００３８】
従って、この状態においては、錠止用ロッド１とマイクロモーター３とは機械的に接続が断たれているので、シリンダ錠またはサムターンを用いて手で施解錠作動を使用とした場合、マイクロモータ３とは独立させてロッド１を作動させることになり、大きな負荷が掛からずに軽く操作できるところとする。
【００３９】
図２の解錠状態において、マイクロモータ３に通電して施錠方向に回転させると、スイングアーム５３は時計方向に揺動し、また、各歯車、ラック６１、６２、回動部材７１及び作動部材７４、７５はそれぞれ矢印の方向に回動又は摺動す
る。
【００４０】
そして、第２作動部材７５が施錠位置に至ると、図３に示すように、係止レバー８１がばね８３により作動部材７５に係合し、ロッド１を施錠位置に不動に保持させる。
【００４１】
同時に第１切り離し手段６６が作用して差動歯車装置５のスイングアーム５３を中立位置に戻し、又、マイクロスイッチ９３が作動してマイクロモーター３への通電が断たれる。
【００４２】
ところで、施錠作動の際、ロッド１の係止部１１と戸枠２０側の横部材３０上の受け孔４０とがずれていて、係止部１１の受け孔４０に対する係入が不能の場合、この発明においては、第１作動部材７４が解錠位置から施錠位置に至る変位の間に、不動の第２作動部材７５に対し第１作動部材７４の変位分を逃がしばね７７で逃がすことができるので、マイクロモータ３を過負荷状態下で回転させることを防ぐことができる。従って、このような場合にマイクロモータ３の焼き付きによる破損を回避させ得る。
【００４３】
次に、図３の施錠状態にあるこの発明に係る電気錠の解錠作動について説明する。
【００４４】
マイクロモータ３に通電して解錠方向に回転させると、中立位置に存するスイングアーム５３は反時計方向に揺動し、また、各歯車、ラック６１、６２及び回動部材７１は前述（図２の矢印の方向）とは逆方向に回動又は摺動する。
【００４５】
そして、回動部材７１のカム部７３が回動の初期の段階で制御レバー８２を図３で時計方向に回すことにより、制御レバー８２の一端で係止レバー８１を押して揺動させる。ここに、係止レバー８１と第２作動部材７５との係合が解かれる。
【００４６】
カム部７３の回動が更に進むと、第１作動部材７４は連結手段９５で連結された第２作動部材７５及び逃がしばね７７を帯同して解錠位置に押し戻され、ロッド１の係止部１１は戸枠２０の受け孔４０から抜き出される。
【００４７】
第２ラック６２が図２の位置に戻ると同時に、第２切り離し手段６７が作用してスイングアーム５３を中立位置に戻し、又、マイクロスイッチ９３が作動してマイクロモータ３への通電が断たれる。ここに、一連の解錠作動が終了する。
【図面の簡単な説明】
【図１】この発明の引戸用電気錠の実施例を解錠状態で示す側面図。
【図２】その錠箱内の全体構造を解錠状態で示す拡大部分縦断側面図。
【図３】同じく錠箱内の部分構造を施錠状態で示す拡大部分縦断側面図。
【符号の説明】
１０  引戸
２０  戸枠
３０  横部材
１  ロッド
１１  係止部
２  錠箱
３  マイクロモータ
４  減速機
５  差動歯車装置
５１  太陽歯車
５２  遊星歯車
５３  スイングアーム
６１  第１ラック
６２  第２ラック
６４  第１ピニオン
６５  第２ピニオン
６６  第１切り離し手段
６７  第２切り離し手段
６８  中間伝動歯車
７１  回動部材
７２  セクターギア部
７３  カム部
７４  第１作動部材
７５  第２作動部材
７７  逃がしばね
８１  係止レバー
８２  制御レバー
９５  連結手段
【図１】
0003835562.tif 000002
【図２】
0003835562.tif 000003
【図３】
0003835562.tif 000004